(57)【要約】【課題】使い勝手がよく、扉をバリアフリー状態で使用でき、扉が簡単に取り外せ、扉が間仕切りとして使用でき、使い勝手が良く簡単な構成で安価な扉を提供することを目的とする。【解決手段】扉本体と、扉本体の縦端面近傍の縦方向に配置した２本のガイド筒と、ガイド筒内を進退して扉本体外に突出して扉本体外の位置決め孔に突入したり、或いは位置決め穴から抜け外れる軸体と、軸体を扉本体外に突出させたり位置決め穴から抜け外れるように操作するレバーとよりなる扉とした。【選択図】　図２
2004019262.tif 000002
【特許請求の範囲】
【請求項１】
扉本体と、扉本体の縦端面近傍の縦方向に配置した２本のガイド筒と、ガイド筒内を進退して扉本体外に突出して扉本体外の位置決め穴に突入したり、或いは位置決め穴から抜け外れる軸体と、軸体を扉本体外に突出させたり位置決め穴から抜け外れるように操作するレバーとよりなる扉。
【請求項２】
軸体は上軸体と下軸体とよりなり、上軸体と下軸体とをカム板を介在させてレバーと連結した請求項１記載の扉。
【請求項３】
施錠方向に向けて軸体を付勢するバネを有する請求項１或いは請求項２記載の扉。
【発明の詳細な説明】
【０００１】
【発明の属する技術分野】
本発明は、扉に関し、開閉するパネル、ルーバー、格子、格子とルーバーを合体させた物等についてである。
【０００２】
【従来の技術】
従来の扉を開閉する把手は、扉本体の右あるいは左に配置されていて、右把手あるいは左把手の使用に慣れている人にとり、必ずしも使い勝手が良いものではなかった。
【０００３】
また、扉本体は枠体内に配置され、床面上からは枠体の下枠が突出しており、バリアフリー状態ではない。
【０００４】
さらに、従来の扉は簡単に取り外せるものではなかった。
【０００５】
さらにまた、簡単に間仕切りになるものがなかった。
【０００６】
さらにその上に、使い勝手がよく、簡単な構成で安価な扉は存在しなかった。
【０００７】
【発明が解決しようとする課題】
使い勝手がよく、扉をバリアフリー状態で使用でき、扉が簡単に取り外せ、扉が間仕切りとして使用でき、使い勝手が良く簡単な構成で安価な扉の提供が求められている。
【０００８】
【課題を解決するための手段】
そこで、本発明は、上記の事情に鑑み、使い勝手がよく、扉をバリアフリー状態で使用でき、扉が簡単に取り外せ、扉が間仕切りとして使用でき、使い勝手が良く簡単な構成で安価な扉を提供すべく、扉本体と、扉本体の縦端面近傍の縦方向に配置した２本のガイド筒と、ガイド筒内を進退して扉本体外に突出して扉本体外の位置決め穴に突入したり、或いは位置決め穴から抜け外れる軸体と、軸体を扉本体外に突出させたり位置決め穴から抜け外れるように操作するレバーとよりなる扉とした。
【０００９】
また、本発明は、具体的には、軸体は上軸体と下軸体とよりなり、上軸体と下軸体とをカム板を介在させてレバーと連結した扉とした。
【００１０】
さらに、本発明は、具体的には、施錠方向に向けて軸体を付勢するバネを有するようにした。
【００１１】
【発明の実施の態様】
本発明を添付する図面に示す具体的な実施例に基づいて以下詳細に説明する。
【００１２】
図１は扉１が壁体２の四角窓孔７に嵌められ、扉本体３に収容した上軸体４及び下軸体５は、扉本体３から突設して壁体２に凹設した位置決め穴に嵌入している。レバー６を破線状態まで操作して、常時は位置決め穴に嵌入している上軸体４及び下軸体５を上軸体４及び下軸体５を作動させ位置決め穴から抜き外させる。
【００１３】
図２で、扉１の開閉態様を示す。閉まった状態の扉（実線で示されている）より上が屋内側で、下が屋外側である。
【００１４】
図１において、図に向かって左側のレバー６を屋外側から下方へ回動させると（仮想線の状態）、上軸体４及び下軸体５が位置決め穴から抜け外れ、右側の上軸体４・下軸体５を中心に回動可能となり、扉１を屋外側（手前）に引くと図２のＡの状態、扉１を屋内側（奥）に押し込むとＢの状態となる。
【００１５】
図１の右側のレバー６を屋外側から下方へ回動させると、上軸体４及び下軸体５が位置決め穴から抜け外れ、左側の上軸体４・下軸体５を中心に回動可能となり、扉１を屋外側（手前）に引くとＣの状態、扉１を屋内側（奥）に押し込むとＤの状態となる。
【００１６】
上記のように、扉１の開閉に４通りの使用の態様がある。
【００１７】
屋内側から扉１を開閉する場合も、屋外から操作する場合と同様に、左右どちらのレバー６でも操作することができ、扉１を手前に引くことも押し込むこともでき、同様に４通りの態様がある。
【００１８】
使用する人の習慣や好みにより左右のどちらのレバー６でも使用することもでき、扉１を手前に引いて開けることも、扉１を押して開けることもでき、至極使い勝手がよい。
【００１９】
扉１の施錠及び解錠状態を図３及び図４の縦断面図により説明する。
【００２０】
床面１１と、四角窓孔７の上面１２との間に、若干の隙間１３を介在させて扉１を配置する。扉本体３の縦端面の近傍にガイド筒１４を固着する。ガイド筒１４の上半分及び下半分に上軸体４、下軸体５をそれぞれ摺動自在に設け、扉本体３から突出或いは位置決め穴から抜け外れるように設定する。ガイド筒１４の中央部の扉本体３の外側と内側とに上軸体４及び下軸体５を操作するレバー６を設ける。両レバー６は中心軸２５により連結し、この中心軸２５に円盤状のカム板１５を固着し、カム板１５の上下のカム溝１６にはそれぞれ連動ピン１７を挿入してその基端を上軸体４の下部、下軸体５の上部にそれぞれ固着する。また、中心軸２５にはコイルバネ１８を外嵌め状に装着し、上軸体４及び下軸体５を施錠方向に向かって付勢するように設定する。即ち、上軸体４及び下軸体５が扉本体３から突出するようにコイルバネ１８を設定する。
【００２１】
床面１１及び上面１２の下軸体５・上軸体４の対向する箇所に位置決め孔１９・２０とするため、有底の金属筒２１・２２をそれぞれ埋設する。
【００２２】
図５及び図６は扉１の施錠状態と解錠状態を示す正面図である。
【００２３】
カム板１５には２個のカム溝１６が刻設してある。このカム溝１６は外径部近傍から中心部近傍に滑らかに変化させたもので、図５に示すように、外径部近傍に連動ピン１７を位置させ、下軸体４及び上軸体５を扉本体３より突出させ、図６に示すように、中心部近傍に連動ピン１７を位置させ、上軸体４及び下軸体５を扉本体３内に没入させる（あるいは位置決め穴１９・２０から抜き外せる）。ガイド筒１４には連動ピン１７の上下方向の移動を許す長孔２３が刻設してある。前記コイルスプリング１８は連動ピン１７がカム溝１６の中心部近傍に位置するように、図６でカム板１５を閉方向に付勢している。
【００２４】
図６のように、コイルスプリング１８の付勢力により上軸体４及び下軸体５は位置決め孔１９・２０に嵌入しているが、扉１を開こうとする時はコイルスプリング１８の付勢力に抗して、図５に示す開方向にレバー６を回動させると、上軸体４及び下軸体５は位置決め孔１９・２０から抜け外れ、扉１は解錠状態となる扉１の回動可能となる。
【００２５】
なお、図１の符号２４は鍵孔である。
【００２６】
本発明の機構は種々な物に装着することができ、図７はパネル、図８はルーバ、図９は格子、図１０は格子とルーバーを合体させた物である。
【００２７】
これ等を横に連設すると、間仕切りにすることもできる。
【００２８】
【発明の効果】
本発明は、上述のように、扉本体と、扉本体の縦端面近傍の縦方向に配置した２本のガイド筒と、ガイド筒内を進退して扉本体外に突出して扉本体外の位置決め孔に突入したり、或いは位置決め穴から抜け外れる軸体と、軸体を扉本体外に突出させたり位置決め穴から抜け外れるように操作するレバーとよりなる扉であるので、使い勝手がよく、扉をバリアフリー状態で使用でき、扉が簡単に取り外せ、扉が間仕切りとして使用でき、使い勝手が良く簡単な構成で安価な扉を提供できる。
【００２９】
また、本発明は、具体的には、軸体は上軸体と下軸体とよりなり、上軸体と下軸体とをカム板を介在させてレバーと連結した扉とした。
【００３０】
さらに、本発明は、具体的には、施錠方向に向けて軸体を付勢するバネを有する扉とした。
【図面の簡単な説明】
【図１】本発明の扉を閉めた状態を示す正面図である。
【図２】本発明の４通りの開閉方法を表す平面図である。
【図３】本発明の扉が施錠された状態を表す側面の詳細断面図である。
【図４】本発明の扉が解錠された状態を表す側面の詳細断面図である。
【図５】本発明の扉が施錠された状態を表す正面の詳細断面図である。
【図６】本発明の扉が解錠された状態を表す正面の詳細断面図である。
【図７】本発明の機構を装着したパネルを示す正面図である。
【図８】本発明の機構を装着したルーバーを示す正面図である。
【図９】本発明の機構を装着した格子を示す正面図である。
【図１０】本発明の格子とルーバーを合体させた物の正面図である。
【符号の説明】
３…扉本体
１４…ガイド筒
１９・２６…位置決め穴
４…上軸体（軸体の例）
５…下軸体（軸体の例）
６…レバー
１５…カム板
１８…コイルバネ（バネの例）
【図１】
2004019262.tif 000003
【図２】
2004019262.tif 000004
【図３】
2004019262.tif 000005
【図４】
2004019262.tif 000006
【図５】
2004019262.tif 000007
【図６】
2004019262.tif 000008
【図７】
2004019262.tif 000009
【図８】
2004019262.tif 000010
【図９】
2004019262.tif 000011
【図１０】
2004019262.tif 000012